(57)【要約】      （修正有）【課題】被看護者の生理状態を定期や不定期的に追跡でき、被看護者の生理状態や病気診療状態に基づいて、保険責務を負うか保険料の調整を決める保険看護装置を提供する。【解決手段】着用看護メカニズム１と、リモートサーバー２と、保険判断メカニズム３及び病態解明メカニズム４と、が含まれる。着用看護メカニズムは、被看護者に着用され、参考情報を生成し、リモートサーバーは、着用看護メカニズムによって生成された参考情報を無線受信し、保険判断メカニズムは、リモートサーバーに接続され、参考情報で、被看護者の生理状態を判断して、保険責務を負うか保険料の調整を決め、病態解明メカニズムは、リモートサーバーに接続され、参考情報で、被看護者の病気を分析し、また、被看護者に診療を受けるように知らせる。【選択図】図２
0003226232.tif 000002
【実用新案登録請求の範囲】
【請求項１】
被看護者が着用することにより、参考情報を生成する着用看護メカニズムと、
当該着用看護メカニズムによって生成された参考情報を無線受信するリモートサーバーと、
当該リモートサーバーに接続されて、当該参考情報を利用して被看護者の生理状態を判断し、保険責務を負うか保険料の調整を決める保険判断メカニズムと、
当該リモートサーバーに接続され、当該参考情報によって、被看護者の病気が分析されて、被看護者に、診療を受けるように知らせる病態解明メカニズムと、が含有される、
ことを特徴とする保険看護装置。
【請求項２】
当該着用看護メカニズムは、少なくとも、着用素子と、当該着用素子に設置された処理素子と、当該着用素子に設置されて当該処理素子に接続される操作素子と、当該着用素子に設置されて当該処理素子に接続される検知素子と、当該着用素子に設置されて当該処理素子に接続される無線伝送素子と、当該着用素子に設置されて当該処理素子に接続される通信素子と、が含有される、ことを特徴とする請求項１に記載される保険看護装置。
【請求項３】
当該着用素子は、被看護者に着用される、ことを特徴とする請求項2に記載される保険看護装置。
【請求項４】
更に、当該リモートサーバーに接続されて、被看護者の診療状況を監視する監視メカニズムが含有される、ことを特徴とする請求項１に記載される保険看護装置。
【請求項５】
更に、当該リモートサーバーに接続されて、被看護者に関する参考情報を提供できる看護メカニズムが含有される、ことを特徴とする、請求項１に記載される保険看護装置。
【請求項６】
更に、当該リモートサーバーに接続されて、被看護者の自身の出費領収書情報を記録できる領収書記録メカニズムが含有される、ことを特徴とする請求項１に記載される保険看護装置。
【考案の詳細な説明】
【技術分野】
【０００１】
本考案は、保険看護装置に関し、特に、被看護者の生理状態或いは、病気診療状態に従って、保険責務を負うか保険料の調整を決めるものに関する。
【背景技術】
【０００２】
既存の一般の保険業者は、被保険者の保険証書を引き受けた後、通常として、損害発生状態に基づいて、保険料を決めることになり、保険業者は、通常として、被保険者の保険前の健康診断状態だけを把握できるが、現在の被保険者の生理状態を把握できないため、被保険者の目前の生理状態に基づいて、保険料の調整をできなくなる。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の主な目的は、被看護者の生理状態に対して、定期や不定期に追跡でき、被看護者の生理状態或いは、病気診療状態に基づいて、保険責務を負うか保険料を調整できる保険看護装置を提供する。
【０００５】
本考案の他の目的は、領収書記録メカニズムに記録された自身の出費領収書の情報を利用して、低リスクの被看護者を、保険責務を負う対象として選別する保険看護装置を提供する。
【課題を解決するための手段】
【０００６】
本考案は、上記の目的を達成するための保険看護装置であり、着用看護メカニズムやリモートサーバー、保険判断メカニズム及び病態解明メカニズムが、含まれる。当該着用看護メカニズムは、被看護者に着用されて、参考情報を生成し、当該リモートサーバーは、当該着用看護メカニズムによって生成された参考情報を無線受信し、当該保険判断メカニズムが、当該リモートサーバーに接続されて、当該参考情報に基づてい被看護者の生理状態を判断して、保険責務を負うか保険料の調整を決め、当該病態解明メカニズムが、当該リモートサーバーに接続され、当該参考情報を利用して、被看護者の病気を分析して、被看護者に、診療を受けるように知らせる。
【０００７】
上記の保険看護装置は、当該着用看護メカニズムに、少なくとも、着用素子と、当該着用素子に設置される処理素子と、当該着用素子に接続されて当該処理素子に接続される操作素子と、当該着用素子に設置されて当該処理素子に接続される検知素子と、当該着用素子に設置されて当該処理素子に接続される無線伝送素子と、当該着用素子に設置されて当該処理素子に接続される通信素子とが、含まれる。
【０００８】
上記の保険看護装置は、当該着用素子によって、被看護者に着用される。
【０００９】
上記の保険看護装置の当該処理素子は、当該操作素子と当該検知素子、当該無線伝送素子及び当該通信素子が作動する時の演算と処理を行う。
【００１０】
上記の保険看護装置の当該操作素子は、各種類の入力と出力を操作する。
【００１１】
上記の保険看護装置の当該検知素子は、被看護者の生理メッセージを検知して、参考情報を生成する。
【００１２】
上記の保険看護装置の当該無線伝送素子は、当該リモートサーバーと、ハンドシェーク交信を行う。
【００１３】
上記の保険看護装置の当該通信素子は、通信設備と、無線通信を行う。
【００１４】
上記の保険看護装置は、更に、当該リモートサーバーに接続される監視メカニズムが、含まれ、当該監視メカニズムは、被看護者の診療状況を監視する。
【００１５】
上記の保険看護装置は、更に、当該リモートサーバーに接続される看護メカニズムが、含まれ、当該看護メカニズムは、被看護者に関する参考情報を提供する。
【００１６】
上記の保険看護装置は、更に、当該リモートサーバーに接続される社会福祉メカニズムが、含まれ、当該社会福祉メカニズムは、被看護者に関する社会福祉情報を提供する。
【００１７】
上記の保険看護装置は、更に、当該リモートサーバーに接続される領収書記録メカニズムが、含まれ、当該領収書記録メカニズムは、被看護者自身の出費領収書情報を記録する。
【００１８】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１９】
図１〜図３は、それぞれ、本考案の基本アーキテクチャ概念図や本考案のブロック概念図及び本考案のもう一つの実施例のブロック概念図である。図のように、本考案に係る保険看護装置は、着用看護メカニズム１と、リモートサーバー２と、保険判断メカニズム３と、病態解明メカニズム４と、から構成される。
【００２０】
当該着用看護メカニズム１は、被看護者に着用されて、参考情報を生成する。
【００２１】
当該リモートサーバー２は、当該着用看護メカニズム１によって生成された参考情報を無線受信する。
【００２２】
当該保険判断メカニズム３は、当該リモートサーバー２に接続され、当該参考情報に基づいて、被看護者の生理状態を判断し、保険責務を負うか保険料の調整を決める。
【００２３】
当該病態解明メカニズム４は、当該リモートサーバー２に接続され、当該参考情報で、被看護者の病気を分析し、被看護者に診療を受けるように知らせる。
【００２４】
本考案によれば、被看護者が、当該着用看護メカニズム１を着用し、当該着用看護メカニズム１によって、被看護者の参考情報（例えば、血圧や血液酸素或いは体温等）が検知され、当該参考情報を当該リモートサーバー２へ伝送し、当該リモートサーバー２が、当該着用看護メカニズム１によって生成された参考情報を受信した後、当該保険判断メカニズム３によって、当該参考情報を受信して、被看護者の生理状態を判断し、保険責務を負うか保険料の調整が決められる。当該保険判断メカニズム３によって、被看護者の生理状態が異常であることを判断した時、当該病態解明メカニズム４は、被看護者の参考情報に基づいて、関連する病態解明（例えば、卒中前兆や心臓病、腎臓病或いは慢性病等）を行って、被看護者に、診療を受けるように知らせ、被看護者が、診療を受ける場合、保険責務を負うか保険料の低減を行うが、被看護者が、診療を受けない場合、保険料の低減を行わない。
【００２５】
また、当該着用看護メカニズム１と当該リモートサーバー２との間の無線伝送は、下記の二種類によって行われる。
【００２６】
1、着用看護メカニズム１は、ＷＩ−ＦＩ／ＢＴ／３Ｇ／４Ｇ／５Ｇ等の無線伝送によってスマートフォンやコンピューターに接続され、スマートフォンやコンピューターを介して、ＷＩ−ＦＩ／ＢＴ／３Ｇ／４Ｇ／５Ｇ等の無線伝送を利用して、ネットワーククラウドに連結された後、当該リモートサーバー２と、ハンドシェーク交信を行う。
【００２７】
2、着用看護メカニズム１は、ＷＩ−ＦＩを介して無線ＡＰに接続され、ＡＰが、有線ネットワークを介してネットワーククラウドに連結されると、当該リモートサーバー２と、ハンドシェーク交信を行う。
【００２８】
本考案のより良い具体実施例によれば、当該着用看護メカニズム１は、少なくとも、着用素子１１と、当該着用素子１１に設置された処理素子１２と、当該着用素子１１に設置されて当該処理素子１２に接続される操作素子１３と、当該着用素子１１に設置されて当該処理素子１２に接続される検知素子１４と、当該着用素子１１に設置されて当該処理素子１２に接続される無線伝送素子１５と、当該着用素子１１に設置されて当該処理素子１２に接続される通信素子１６と、が含まれる。
【００２９】
これにより、当該着用素子１１が、被看護者に着用され、当該処理素子１２は、当該操作素子１３や当該検知素子１４、当該無線伝送素子１５及び当該通信素子１６が作動する時の演算と処理を行い、当該操作素子１３が、HMIで、各種類の入力と出力を操作し、当該検知素子１４は、被看護者の生理メッセージを検知して、参考情報を生成し、当該無線伝送素子１５は、当該リモートサーバー２と、ハンドシェーク交信を行って、当該参考情報を伝送し、当該通信素子１６は、通信設備（例えば、スマートフォンや各種類のコンピューター）と、無線通信を行う。そのため、本考案は、より実用的になる。
【００３０】
本考案のより良い具体実施例によれば、更に、当該リモートサーバー２に接続される監視メカニズム５が含まれ（図３のように）、被看護者が、診療を受ける場合、当該監視メカニズム５は、当該リモートサーバー２を介して、当該無線伝送素子１５と、ハンドシェーク交信を行い、また、当該着用看護メカニズム１の検知素子１４で、被看護者の診療状況を監視して、保険料低減の参考とする。これにより、本考案は、より実用的になる。
【００３１】
本考案のより良い具体実施例によれば、更に、当該リモートサーバー２に接続される看護メカニズム６が含まれ（図３のように）、当該看護メカニズム６は、当該リモートサーバー２を介して、当該無線伝送素子１５と、ハンドシェーク交信を行い、また、当該着用看護メカニズム１の操作素子１３は、被看護者関連の参考情報を提供でき、例えば、慢性病の被看護者に関連する医学メッセージや診療メッセージである。これにより、本考案は、より実用的になる。
【００３２】
本考案のより良い具体実施例によれば、更に、当該リモートサーバー２に接続される社会福祉メカニズム７が含まれ（図３のように）、当該社会福祉メカニズム７は、当該リモートサーバー２を介して、当該無線伝送素子１５と、ハンドシェーク交信を行い、また、当該着用看護メカニズム１の操作素子１３が、被看護者関連の社会福祉情報を提供し、例えば、介護者の申請やソーシャルワーカーへの連絡及び各種類の援助である。これにより、本考案は、より実用的になる。
【００３３】
本考案のより良い具体実施例によれば、更に、当該リモートサーバー２に接続される領収書記録メカニズム８が含まれ（図３のように）、当該領収書記録メカニズム８は、当該リモートサーバー２を介して、当該無線伝送素子１５と、ハンドシェーク交信を行い、また、当該着用看護メカニズム１の操作素子１３によって、被看護者自身の出費領収書情報が記録され、領収書記録メカニズム８に記録された自身の出費領収書の情報を利用して、低リスクの被看護者を、保険責務を負う対象として選別する。これにより、本考案は、より実用的になる。
【００３４】
以上のように、本考案に係る保険看護装置は、有効的に従来の諸欠点を解消でき、被看護者の生理状態に対して、定期や不定期的に追跡でき、被看護者の生理状態や病気診療状態に基づいて、保険責務を負うか保険料の調整を決めることができ、そのため、本考案は、より進歩的かつより実用的で、法に従って実用新案登録請求を出願する。
【００３５】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００３６】
【図１】本考案の基本アーキテクチャ概念図
【図２】本考案のブロック概念図
【図３】本考案のもう一つの実施例のブロック概念図
【符号の説明】
【００３７】
１  着用看護メカニズム
１１  着用素子
１２  処理素子
１３  操作素子
１４  検知素子
１５  無線伝送素子
１６  通信素子
２  リモートサーバー
３  保険判断メカニズム
４  病態解明メカニズム
５  監視メカニズム
６  看護メカニズム
７  社会福祉メカニズム
８  領収書記録メカニズム
【図１】
0003226232.tif 000003
【図２】
0003226232.tif 000004
【図３】
0003226232.tif 000005
【手続補正書】
【提出日】令和2年3月9日(2020.3.9)
【手続補正１】
【補正対象書類名】実用新案登録請求の範囲
【補正対象項目名】全文
【補正方法】変更
【補正の内容】
【実用新案登録請求の範囲】
【請求項１】
被看護者が着用することにより、参考情報を生成する着用看護メカニズムと、
当該着用看護メカニズムによって生成された参考情報を無線受信するリモートサーバーと、
当該リモートサーバーに接続されて、当該参考情報を利用して被看護者の生理状態を判断し、保険責務を負うか保険料の調整を決める保険判断メカニズムと、
当該リモートサーバーに接続され、当該参考情報によって、被看護者の病気が分析されて、被看護者に、診療を受けるように知らせる病態解明メカニズムと、が含有され、
当該着用看護メカニズムは、少なくとも、着用素子と、当該着用素子に設置された処理素子と、当該着用素子に設置されて当該処理素子に接続される操作素子と、当該着用素子に設置されて当該処理素子に接続される検知素子と、当該着用素子に設置されて当該処理素子に接続される無線伝送素子と、当該着用素子に設置されて当該処理素子に接続される通信素子と、が含有される、
ことを特徴とする保険看護装置。
【請求項２】
当該着用素子は、被看護者に着用される、ことを特徴とする請求項１に記載される保険看護装置。
【請求項３】
更に、当該リモートサーバーに接続されて、被看護者の診療状況を監視する監視メカニズムが含有される、ことを特徴とする請求項１に記載される保険看護装置。
【請求項４】
更に、当該リモートサーバーに接続されて、被看護者に関する参考情報を提供できる看護メカニズムが含有される、ことを特徴とする、請求項１に記載される保険看護装置。
【請求項５】
更に、当該リモートサーバーに接続されて、被看護者の自身の出費領収書情報を記録できる領収書記録メカニズムが含有される、ことを特徴とする請求項１に記載される保険看護装置。